(57)【要約】      （修正有）【課題】軸受凹部内面に対する粉体シール片の取付け作業を格段に簡易化し、また、交換作業効率、及び取付精度を格段に向上する。【解決手段】粉体シール片の外周面に係合凹部１０ａを備えると共に、軸受凹部６内面に係合凸部１０ｂを相対的に備え、該粉体シール片Ｓを軸受凹部６内を挿入し、係合凹部１０ａに係合凸部１０ｂを係合して、軸受凹部６の内面に粉体シール片Ｓを位置決め取付けするようにした。【選択図】図３
0003116265.tif 000002
【実用新案登録請求の範囲】
【請求項１】
シール部の軸受凹部内面に取付けて粉体の洩れ出しをシールするのに用いる粉体シール片において、
粉体シール片の外周面に係合凹部を備えると共に、軸受凹部内面に該係合凹部と係合して粉体シール片を位置決め取付けする係合凸部を相対的に備えたものである、
位置決め用の係合部を備えた回転軸の粉体シール片。
【請求項２】
粉体シール片の外周面に備える係合凹部は、少なくても１個の、孔（貫通）、穴（有底）、凹み、切欠、溝、スリット等であり、
軸受凹部内面に備える係合凸部は、係合凹部と相対的に備えた凸起、凸条、出っ張り等であって、
上記粉体シール片を軸受凹部内を挿入し、粉体シール片の係合凹部に軸受凹部内面の係合凸部を係合して、軸受凹部内面に粉体シール片を位置決め取付けするように備えたものである、
請求項1の位置決め用の係合部を備えた回転軸の粉体シール片。
【考案の詳細な説明】
【技術分野】
【０００１】
本考案は、例えば、複写機、ファックス、プリンター等におけるトナーカートリッジ等の回転軸の周面に付着した粉体(例、トナー)が軸受部に侵入して回転の妨げにならないように、シール部の軸受凹部の内側に取付けて粉体の侵入をシールする粉体シール片に係り、
【０００２】
粉体シール片の外周面に係合凹部を備えると共に、軸受凹部内面に該係合凹部と係合して粉体シール片を位置決め取付けする係合凸部を相対的に備え、
【０００３】
上記粉体シール片を軸受凹部内に挿入し、粉体シール片の係合凹部に軸受凹部内面の係合凸部を係合して、軸受凹部内面に粉体シール片を位置決め取付けするように備えたものであり、
シール部の軸受凹部に対する粉体シール片の新規取付け、メンテナンス交換等の作業性を格段に向上したことを特徴とするものである。
【背景技術】
【０００４】
従来、例えば、複写機、ファックス、プリンター等において、粉体（例、トナー即ちカーボン微粉体）を充填した長方形箱状等のケースにマグネットローラー、転写ローラー等の回転軸をセットしたトナーカートリッジ等が広く用いられているが、長期間の使用により、これらの回転軸１の周面に付着した粉体２が軸受部３に侵入して回転の妨げにならないように、通常、軸受部３の内側（例、トナー槽の左右側板４）に粉体２をシールするシール部５を設けて、該シール部５から軸受部３側へ粉体２が洩れ出ないようにしている。（図４〜６参照）
【０００５】
該シール部５は回転軸１をトナーケース等の正面側若しくは上面側から嵌合取付けするＪ字形、Ｕ字形（図示例）、Ｃ字形等の軸受凹部６を形成し、該軸受凹部６の内周面に、粉体２の洩れをシールする粉体シール片S1を取付けている。
【０００６】
通常、粉体シール片は素材として、弾力性があって摩擦抵抗が極めて少なく、耐久性に秀れ、高密度に絡合した繊維が微粉体の侵入を有効に防御する作用を行う等の秀れた特性を兼備した合成樹脂ポリテトラフルオロエチレン繊維製のフェルト片８を使用しているが、高価であるため、他の素材、例えば発泡プラスチック片等製のホルダー９と組み合わせて使用するのが通例である。
【０００７】
また、上記のポリテトラフルオロエチレンフェルト片８の他、ポリテトラフルオロエチレン繊維を表面側に起毛状態に織り出したビロード織布のようなポリテトラフルオロエチレン織布を設け、該織布を形抜き加工して設けた粉体シール片を使用することも行われている。
【０００８】
粉体シール片は、メーカーによって多少相違するが、例えば、幅１０ｍｍ位、長さ４５ｍｍ位、厚さ１ｍｍ位のポリテトラフルオロエチレンフェルト片８若しくはポリテトラフルオロエチレン織布片と厚さ３ｍｍ位のホルダー９を容易に剥離しない状態に積層形成したものの裏面に両面接着フィルム７の片面を接着（他方面に剥離紙7ａを接着）したものであり、
従来は、該粉体シール片S1を、上記シール部５の軸受凹部６の内周面に、両面接着フィルム７を、その剥離紙７aを剥がして、固着して取付けていたものである。
而して、本考案の粉体シール片も寸法、形状等は従来と略同様である。
【特許文献１】特開２００１−５９５７５号公報
【特許文献２】特開２００１−２０８２０６号公報
【特許文献３】実用新案登録第３１０５８３２号公報
【考案の開示】
【考案が解決しようとする課題】
【０００９】
上記従来の粉体シール片は、ポリテトラフルオロエチレンフェルト片等と発泡プラスチック片等を積層形成したものの裏面に、両面接着フィルムを接着して設けたものであるため、当然、該両面接着フィルムの材料経費を要すると共に、該粉体シール片を一個づつ人手で剥離紙を剥がして軸受凹部の内周面に固着して取付ける、熟練と手間を要する面倒な作業が必須な課題があった。
【００１０】
また、メンテナンス修理時やトナーケース等のリサイクル使用時には、軸受凹部の内周面から古い粉体シール片を剥がし取って、新規の粉体シール片と交換取付けする必要があるが、従来は、前記のように粉体シール片を軸受凹部の内周面に両面接着フィルムで一体的に固着していたため、奇麗に剥がし取ることが難しく、どうしても残骸が残ってしまい、よって、新規の粉体シール片を正確・奇麗に接着取付けすることが出来ず、十分に粉体の洩れをシールすることが出来ない課題があった。
【００１１】
そこで、本考案は、従来の粉体シール片を両面接着フィルムで固着して取付けることを止め、単に粉体シール片を軸受凹部内に挿入し、粉体シール片の係合凹部に軸受凹部内面の係合凸部を係合して、軸受凹部内面に粉体シール片を位置決め取付けできるように備えることによって、軸受凹部内面に対する粉体シール片の取付け作業を格段に簡易化し、また、交換作業効率、及び取付精度を格段に向上して、上記従来の課題を解決したものである。
【課題を解決するための手段】
【００１２】
即ち、本考案は、シール部の軸受凹部内面に取付けて粉体の洩れ出しをシールするのに用いる粉体シール片において、
粉体シール片の外周面に係合凹部を備えると共に、軸受凹部内面に該係合凹部と係合して粉体シール片を位置決め取付けする係合凸部を相対的に備えたものである、位置決め用の係合部を備えた回転軸の粉体シール片によって課題を解決したものである。
【考案の効果】
【００１３】
従来の粉体シール片は両面接着フィルムを接着して設けたものであるため、該両面接着フィルムの材料経費を要すると共に、該粉体シール片を一個づつ人手で剥離紙を剥がして軸受凹部の内周面に固着して取付る、熟練と手間を要する面倒な作業が必須な課題があったが、
その点、本考案粉体シール片は、単に粉体シール片を軸受凹部内に挿入し、粉体シール片の係合凹部に軸受凹部内面の係合凸部を係合して、軸受凹部内面に粉体シール片を位置決め取付けるように備えたので、従来に比して、軸受凹部内面に対する粉体シール片の取付け作業を格段に簡易化し、また、交換作業効率、及び取付け精度を格段に向上し得る多大の効果がある。
【００１４】
また、従来は、メンテナンス修理時やトナーケース等のリサイクル使用時には、軸受凹部の内周面から粉体シール片を剥がし取って、新規の粉体シール片と交換取付けする必要があるが、前記のように粉体シール片を軸受凹部の内周面に両面接着フィルムで一体的に固着していたため、奇麗に剥がし取れず残骸が残って、新規の粉体シール片を正確・奇麗に接着取付けすることが難しく、そのため、粉体の洩れ生じる課題があったが、
【００１５】
その点、本考案粉体シール片は、両面接着フィルムで固着して取付けることを止め、単に粉体シール片を軸受凹部内に挿入し、粉体シール片の係合凹部に軸受凹部内面の係合凸部を係合して、軸受凹部内面に粉体シール片を位置決め取付けるように備えたので、古い粉体シール片の取外しが全く簡単であり、また、新規の粉体シール片を極めて簡単に手早く、そして正確に取付けすることできるため、交換作業効率、及び取付精度を格段に向上して、粉体の侵入，洩れを有効に防止し得る優れた効果がある。
【考案を実施するための最良の形態】
【００１６】
シール部の軸受凹部内面に取付けて粉体の洩れ出しをシールするのに用いる粉体シール片において、
粉体シール片の外周面に穴（係合凹部）１０ａを備えると共に、軸受凹部６内面に該穴１０ａと係合して粉体シール片Ｓを位置決め取付けする凸起（係合凸部）１０ｂを相対的に備え、
上記粉体シール片Ｓを軸受凹部６内に挿入し、粉体シール片Ｓの穴１０ａに軸受凹部６内面の凸起１０ｂを係合して、軸受凹部６の内面に粉体シール片Ｓを位置決め取付けするように設けた、位置決め用の係合部を備えた回転軸の粉体シール片Ｓ。
【実施例】
【００１７】
図１は本考案実施例１の粉体シール片の縦断正面図、平面図、及び右側面図、図２は粉体シール片をシール部の軸受凹部に取付けた一部切断正面図、図３は図２のＡ−Ａ線断面図である。
【００１８】
上記の本考案粉体シール片Ｓの実施例につき説明すると、シール部５の軸受凹部６内面に取付けて粉体の洩れ出しをシールするのに用いる粉体シール片において、
粉体シール片の外周面に係合凹部１０ａを備えると共に、軸受凹部６内面に該係合凹部１０ａと係合して粉体シール片Ｓを位置決め取付けする係合凸部１０ｂを相対的に備えたものである、位置決め用の係合部を備えた回転軸の粉体シール片Ｓであり、
【００１９】
粉体シール片Ｓの外周面に備える係合凹部１０ａは、少なくても１個の、孔（貫通）、穴（有底）（図示例）、凹み、切欠、溝、スリット等であり、
軸受凹部６内面の側に備える係合凸部１０ｂは、係合凹部１０ａと相対的に備えた凸起（図示例）、凸条、出っ張り等であって、
【００２０】
上記粉体シール片Ｓを軸受凹部６内を挿入し、粉体シール片Ｓの係合凹部１０ａに軸受凹部６内面の係合凸部１０ｂを係合して、軸受凹部６の内面に粉体シール片Ｓを位置決め取付けするように備えたものである、位置決め用の係合部を備えた回転軸の粉体シール片である。
【００２１】
なお、図示を省くが、本考案粉体シール片を軸受凹部内に挿入し、粉体シール片の係合凹部に軸受凹部内面の係合凸部を係合して、軸受凹部の内面に粉体シール片を位置決め取付ける際に、粉体シール片の貼付面の一部、例えばその中央部などに両面接着フィルムの小片（後日の剥離交換時に妨げにならない大きさの小片）を補助的に接着しておけば、粉体シール片の位置決め取付けを、より正確・簡単に行なうことができる。
【産業上の利用可能性】
【００２２】
本考案は、本考案粉体シール片を各種の軸受凹部内に挿入し、粉体シール片の係合凹部に軸受凹部内面の係合凸部を係合して、軸受凹部内面に粉体シール片を位置決め取付けるように備えたものであるので、上記の複写機、ファックス、プリンター等のトナーカートリッジ等の回転軸の軸受部に限らず、広く種々の回転軸の軸受部の内側に取り付けて、粉体の侵入をシールする粉体シール片として、汎用し得る。
【図面の簡単な説明】
【００２３】
【図１】本考案実施例の粉体シール片の縦断正面図、平面図、及び右側面図。
【図２】図１の粉体シール片をシール部の軸受凹部に取付けた一部切断正面図。
【図３】図２のＡ−Ａ線断面図。
【図４】従来例の粉体シール片の縦断正面図、平面図、及び右側面図。
【図５】図４の粉体シール片をシール部の軸受凹部に取付けた一部切断正面図。
【図６】図５のＢ−Ｂ線断面図。
【符号の説明】
【００２４】
Ｓ    本考案実施例の粉体シール片
Ｓ１  従来の粉体シール片
１    回転軸
２    粉体
３    軸受部
４    側板
５    シール部
６    軸受凹部
７    両面粘着テープ
７ａ  剥離紙
８    ポリテトラフルオロエチレンフェルト片
９    ホルダー
１０ａ  係合凹部（実施例、穴）
１０ｂ  係合凸部（実施例、凸起）
【図１】
0003116265.tif 000003
【図２】
0003116265.tif 000004
【図３】
0003116265.tif 000005
【図４】
0003116265.tif 000006
【図５】
0003116265.tif 000007
【図６】
0003116265.tif 000008